(57)【要約】      （修正有）【課題】本発明は、洗濯物の収容量を十分に確保しつつ、天地を有するデザインの意匠性を損なう虞の少ない洗濯ネットを提供する。【解決手段】網目状の素材からなる洗濯ネット１０において、円柱状のものであって、洗濯物を投入する開口部、および開口部を閉塞するスライドファスナを有する本体と２、本体２の表面から突出した突出部３と、を備えたものであり、本体２は、円筒状の胴部２１と、胴部２１の両端部を閉塞する一対の平面部２２とを有し、平面状の載置面に胴部２１を載置した載置状態において、天地を有するキャラクターのデザインが施されたものであり、突出部３は、デザインの天地を合わせた載置状態において、載置面に接触して本体２の転がりを規制するものである。【選択図】図１
2020096916.tif 000002
【特許請求の範囲】
【請求項１】
網目状の素材からなる洗濯ネットにおいて、
円柱状のものであって、洗濯物を投入する開口部、および該開口部を閉塞するスライドファスナを有する本体と、
前記本体の表面から突出した突出部と、を備えたものであり、
前記本体は、円筒状の胴部と、該胴部の両端部を閉塞する一対の平面部とを有し、平面状の載置面に該胴部を載置した載置状態において、天地を有するキャラクターのデザインが施されたものであり、
前記突出部は、デザイン上、前記キャラクターの足又は手に相当するものであるとともに、前記デザインの天地を合わせた前記載置状態において、前記載置面に接触して該本体の転がりを規制するものであることを特徴とする洗濯ネット。
【請求項２】
前記開口部および前記スライドファスナは、前記デザインの天地を合わせた前記載置状態において、前記本体における、前記載置面に載置される箇所に設けられたものであることを特徴とする請求項１記載の洗濯ネット。
【請求項３】
前記突出部は、前記本体から、該本体の延在方向に突出し、該本体の周方向に間隔を空けて一対設けられたものであることを特徴とする請求項１又は２記載の洗濯ネット。
【発明の詳細な説明】
【技術分野】
【０００１】
本発明は、網目状の素材からなる洗濯ネットに関する。
【背景技術】
【０００２】
網目状の素材からなり、洗濯物を収容した状態で洗濯機内に投入される洗濯ネットには、種々のものが採用されている。しかしながら、いずれの洗濯ネットも、洗濯中に洗濯物に傷みや型崩れ等が生じないようにするという実用的効果を発揮するものに留まり、外観上の可愛らしさや面白さ等を備えるものは知られていなかった。そこで、本出願人は、キャラクターの形態を呈する洗濯ネットを考案した（特許文献１）。特許文献１記載の洗濯ネットによれば、キャラクターの形態によって外観上の可愛らしさや面白さ等を備え、飾り物や置物等としても好ましく用いることができる。しかしながら、特許文献１記載の洗濯ネットは、キャラクターの形態によっては、収容できる洗濯物の量を十分に確保できない虞がある。
【０００３】
ここで、洗濯物の収容量を十分に確保する洗濯ネットとして、円筒状の胴部と、この胴部の両端部を閉塞する一対の平面部とを有する円柱状の洗濯ネットが知られている（特許文献２及び特許文献３等参照）。
【先行技術文献】
【特許文献】
【０００４】
【特許文献１】実用新案登録第３２１０８６７号公報
【特許文献２】特開２００２−３５４７１号公報
【特許文献３】特開昭６２−１２０８９６号公報
【発明の概要】
【発明が解決しようとする課題】
【０００５】
しかしながら、円柱状の洗濯ネットでは、机や家具の上面などの平面状の載置面に、円筒状の胴部を置くと、洗濯ネットの姿勢が安定しない。このため、円柱状の洗濯ネットに対して、天地を有するキャラクター等のデザインを施し、飾り物や置物等として用いる場合には、不用意に転がってキャラクター等の姿勢が傾いてしまい、飾り物や置物等としての意匠性を損ねてしまう虞がある。
【０００６】
本発明は前記事情に鑑み、洗濯物の収容量を十分に確保しつつ、天地を有するデザインの意匠性を損なう虞の少ない洗濯ネットを提供することを目的とする。
【課題を解決するための手段】
【０００７】
前記目的を解決する本発明の洗濯ネットは、網目状の素材からなる洗濯ネットにおいて、
円柱状のものであって、洗濯物を投入する開口部、および該開口部を閉塞するスライドファスナを有する本体と、
前記本体の表面から突出した突出部と、を備えたものであり、
前記本体は、円筒状の胴部と、該胴部の両端部を閉塞する一対の平面部とを有し、平面状の載置面に該胴部を載置した載置状態において、天地を有するキャラクターのデザインが施されたものであり、
前記突出部は、デザイン上、前記キャラクターの足又は手に相当するものであるとともに、前記デザインの天地を合わせた前記載置状態において、前記載置面に接触して該本体の転がりを規制するものであることを特徴とする。
【０００８】
ここで、前記本体の延在方向とは、円柱状の該本体の中心軸方向に一致する方向をいう。
【０００９】
本発明の洗濯ネットによれば、洗濯物が収容される前記本体が円柱状のものであるため、洗濯物の収容量を十分に確保することができる。また、前記本体は、天地を有するキャラクターのデザインが施されたものであるため、外観上の可愛らしさや面白さ等を備え、飾り物や置物等としても好ましく用いることができる。さらに、前記突出部は、デザイン上、前記キャラクターの足又は手に相当するものであるとともに、前記デザインの天地を合わせた前記載置状態において、前記載置面に接触して該本体の転がりを規制するものであるため、該突出部を含んだ前記洗濯ネット全体の意匠性を向上させることが可能になるとともに、キャラクターの姿勢が傾いてしまうことが防止される。これによって、飾り物や置物等としての意匠性を損ねてしまうことも抑えられる。
【００１０】
また、本発明の洗濯ネットにおいて、前記開口部および前記スライドファスナは、前記デザインの天地を合わせた前記載置状態において、前記本体における、前記載置面に載置される箇所に設けられたものとすることが好ましい。
【００１１】
こうすることで、前記デザインの天地を合わせた前記載置状態において、前記開口部および前記スライドファスナが視認されなくなり、意匠性をより向上させることができる。
【００１２】
さらに、本発明の洗濯ネットにおいて、前記突出部は、前記本体から、該本体の延在方向に突出し、該本体の周方向に間隔を空けて一対設けられたものであってもよい。
【発明の効果】
【００１３】
本発明の洗濯ネットによれば、洗濯物の収容量を十分に確保しつつ、天地を有するデザインの意匠性を損なう虞の少ない洗濯ネットを提供することができる。
【図面の簡単な説明】
【００１４】
【図１】本発明の第１実施形態である洗濯ネットを、前方の右斜め上方から見た斜視図である。
【図２】図１に示す洗濯ネットを、後方の左斜め上方から見た斜視図である。
【図３】図１および図２に示す洗濯ネットの底面図である。
【図４】本発明の第２実施形態である洗濯ネットを、前方の右斜め上方から見た斜視図である。
【図５】図４に示す洗濯ネットの底面図である。
【発明を実施するための形態】
【００１５】
以下、図面を参照して本発明の実施の形態を説明する。
【００１６】
以下に説明する実施形態では、動物等をモチーフにしたキャラクターのデザインが施された洗濯ネットを例に挙げ、キャラクターの顔に相当する箇所を前側として説明する。
【００１７】
図１は、本発明の第１実施形態である洗濯ネット１０を、前方の右斜め上方から見た斜視図である。また、図２は、図１に示す洗濯ネット１０を、後方の左斜め上方から見た斜視図である。なお、洗濯ネット１０は、柔らかいものであり、洗濯物等が収容されていないと、その一部、あるいは全体が潰れた状態になるが、本出願の図面では、洗濯物等が収容されて膨らんだ状態を示し、その膨らんだ状態における形状等を説明する。また、図１および図２では、机や家具の上面などの平面状の載置面（図示省略）に、洗濯ネット１０が載置された状態を示している。
【００１８】
図１及び図２に示すように、洗濯ネット１０は、後述する開口部２４（図３参照）から洗濯物が投入される円柱状の本体２と、本体２の表面から突出した複数の突出部３とを備えている。本体２が円柱状のものであるため、洗濯物の収容量を十分に確保することができる。これら本体２および突出部３１は、例えばポリエステル繊維等の網目状の素材によって構成されており、図では部分的にハッチングを施して素材を表現している。なお、本体２は、収容された洗濯物が洗濯できるように網目状の素材を用いる必要があるが、突出部３１は、網目状の素材に限定されない。
【００１９】
本体２は、円筒状の胴部２１と、胴部２１の両端部を閉塞する一対の平面部２２，２２とを有し、これら胴部２１と一対の平面部２２，２２が縫製されることによって円柱状に形成されている。なお、ここでいう円柱状とは、厳密な意味での円柱状をいうものではなく、洗濯物の収容量を十分に確保できる範囲で、縫製製品特有の、胴部２１と一対の平面部２２，２２との縫製箇所が、若干凹んだりやや丸みを帯びた形状や、詳しくは後述する載置状態を考慮し、胴部２１の一部が平面状になった形状も含む概念である。
【００２０】
本実施形態では、前側の平面部２２に、キャラクターの顔がデザインされ、載置面に胴部２１を載置した載置状態において、天地を有するデザインが施されている。以下、前側の平面部２２を前側平面部２２ａと称し、うしろ側の平面部２２をうしろ側平面部２２ｂと称して区別することがある。なお、うしろ側平面部２２ｂには、キャラクターの尻尾等をデザインしてもよい。
【００２１】
図１に示すように、胴部２１と前側平面部２２ａとの縫製箇所には、本体２の周方向に間隔を空けて一対の突出部３，３が縫製されて設けられている。また、図２に示すように、胴部２１とうしろ側平面部２２ｂとの縫製箇所には、本体２の周方向に間隔を空けて一対の突出部３，３が縫製されて設けられている。以下、前側の突出部３を前側突出部３ａと称し、後ろ側の突出部３をうしろ側突出部３ｂと称して区別することがある。前側突出部３ａは、デザイン上、本体２にデザインされたキャラクターの前足あるいは手に相当するものであり、うしろ側突出部３ｂは、デザイン上、本体２にデザインされたキャラクターの後足あるいは足に相当するものである。なお、本実施形態では、デザイン上、本体２にデザインされたキャラクターの耳に相当する耳部４１も設けられている。これらによって、洗濯ネット１０は、外観上の可愛らしさ等を備え、デザインの天地を合わせた載置状態において、飾り物や置物等としても用いることができる。
【００２２】
図３は、図１および図２に示す洗濯ネット１０の底面図である。
【００２３】
図３に示すように、突出部３は、本体２から、本体２の延在方向それぞれに突出して設けられている。ここで、本体２の延在方向とは、円柱状の本体２の中心軸方向に一致する方向をいい、本実施形態では、前後方向に相当する。
【００２４】
また、洗濯物を投入する開口部２４と、この開口部２４を閉塞するスライドファスナ２３は、図１および図２に示す、デザインの天地を合わせた載置状態において、本体２における、載置面に載置される箇所に設けられている。なお、図３では、スライドファスナ２３によって閉塞された開口部２４を一点鎖線で示している。
【００２５】
図１および図２に示す、デザインの天地を合わせた載置状態において、突出部３は、載置面に接触しているか、あるいは、図では円弧状の両矢印で示すように、本体２が僅かに転がると、載置面に接触する態様に設けられている。本体２は円柱状であるため、載置面に載置されると不用意に転がってしまう虞があるが、デザインの天地を合わせた載置状態において、本体２の転がりが突出部３によって規制され、キャラクターの姿勢が傾いてしまうことが防止される。これによって、飾り物や置物等としての意匠性を損ねてしまうことを抑えることができる。さらに、開口部２４とスライドファスナ２３は、デザインの天地を合わせた載置状態において、本体２における、載置面に載置される箇所に設けられているため、視認されなくなる。このため、飾り物や置物等としての意匠性をより向上させることができる。
【００２６】
次に、第２実施形態の洗濯ネット１１について説明する。以下に説明する第２実施形態の洗濯ネット１１においては、図１〜図３に示す第１実施形態の洗濯ネット１０との相違点を中心に説明し、図１〜図３に示す第１実施形態の洗濯ネット１０における構成要素の名称と同じ名称の構成要素には、これまで用いた符号を付して説明し、重複する説明は省略することがある。
【００２７】
図４は、本発明の第２実施形態である洗濯ネット１１を、前方の右斜め上方から見た斜視図である。また、図５は、図４に示す洗濯ネット１１の底面図である。
【００２８】
図４および図５に示すように、第２実施形態である洗濯ネット１１は、前側突出部３ａが、本体２の延在方向と水平面内において直交する幅方向に、本体２の前寄りの表面から突出して設けられている。これにより、図５に示す、デザインの天地を合わせた載置状態において、本体２の転がりを突出部３によってより効果的に規制することができる。なお、本実施形態においても、うしろ側突出部３ｂを設けているが、本体２にデザインされたキャラクターによっては、うしろ側突出部３ｂを省略してもよい。うしろ側突出部３ｂを省略する態様では、本体２における延在方向の中央部分に前側突出部３ａを設けてもよい。また、前側突出部３ａと同様に、うしろ側突出部３ｂを、幅方向に突出させて設けてもよい。
【００２９】
なお、図４に示すように、本実施形態の洗濯ネット１１には、デザイン上、本体２にデザインされたキャラクターの尻尾に相当する尻尾部４２も設けられている。また、開口部２４およびスライドファスナ２３は、一方の前側突出部３ａの直上において延在方向に沿って設けられ、デザインの天地を合わせた載置状態において、視認されにくい工夫がなされている。
【００３０】
以上説明した洗濯ネット１０，１１によれば、洗濯物の収容量を十分に確保しつつ、天地を有するデザインの意匠性を損なう虞を少なくすることができる。
【００３１】
本発明は前述した実施形態に限られることなく特許請求の範囲に記載した範囲で種々の変更を行うことができる。例えば、前述した実施形態では、平面部２２にデザインを施しているが、胴部２１にデザインを施してもよい。また、前述した実施形態では、本体２と突出部３を同じ素材で構成しているが、突出部３を、本体２の素材よりも強度が大きい素材や、本体２の素材よりも比重が大きい素材によって構成してもよい。こうすることで、デザインの天地を合わせた載置状態の洗濯ネット１０，１１の姿勢を、より安定させることができる。
【００３２】
以下、基礎とした実用新案登録及びその実用新案登録出願に記載されていた発明概念を付記する。
【００３３】
網目状の素材からなる洗濯ネットにおいて、
円柱状のものであって、洗濯物を投入する開口部、および該開口部を閉塞するスライドファスナを有する本体と、
前記本体の表面から突出した突出部と、を備えたものであり、
前記本体は、円筒状の胴部と、該胴部の両端部を閉塞する一対の平面部とを有し、平面状の載置面に該胴部を載置した載置状態において、天地を有するデザインが施されたものであり、
前記突出部は、前記デザインの天地を合わせた前記載置状態において、前記載置面に接触して該本体の転がりを規制するものであることを特徴とする洗濯ネット。
【００３４】
ここで、天地を有するデザインとしてはキャラクターに限定されるものではない。キャラクターと共に、あるいはキャラクターに代えて、例えばカレンダーや洗剤の宣伝など、文字、数字、記号あるいはマーク等を用いたデザインを施してもよい。
【符号の説明】
【００３５】
１０，１１  洗濯ネット
２  本体
２１  胴部
２２  平面部
２２ａ  前側平面部
２２ｂ  うしろ側平面部
２３  スライドファスナ
２４  開口部
３  突出部
３ａ  前側突出部
３ｂ  うしろ側突出部
４１  耳部
４２  尻尾部
【図１】
2020096916.tif 000003
【図２】
2020096916.tif 000004
【図３】
2020096916.tif 000005
【図４】
2020096916.tif 000006
【図５】
2020096916.tif 000007